(57)【要約】      （修正有）【課題】作成された釣銭準備金が正常に保管されているか否かを管理する。【解決手段】貨幣処理装置は、オペレータによって入力された取引ＩＤ情報を読み取る第１ＩＤ情報読取部と、第１ＩＤ情報読取部によって取引ＩＤ情報が読み取られた場合に、釣銭準備金を作成し、当該釣銭準備金を外部から取出し可能になるように出金する出金部と、を備える。釣銭準備金保管装置は、収容体を保管する釣銭準備金保管部と、収容体に付された釣銭準備金ＩＤ情報を読み取る第２ＩＤ情報読取部と、を備える。制御部は、第１ＩＤ情報読取部によって読み取られた取引ＩＤ情報と第２ＩＤ情報読取部によって読み取られた釣銭準備金ＩＤ情報とが対応する場合に、取引を終了する。【選択図】図１４
2009217476.tif 000002
【特許請求の範囲】
【請求項１】
釣銭準備金を作成する出金処理を行う貨幣処理装置と、
前記貨幣処理装置によって作成された釣銭準備金を収容する収容体であって、釣銭準備金ＩＤ情報が付された収容体を保管する釣銭準備金保管装置と、
前記貨幣処理装置及び前記釣銭準備金保管装置を制御する制御部と、を備え、
前記貨幣処理装置は、
オペレータによって入力された取引ＩＤ情報を読み取る第１ＩＤ情報読取部と、
前記第１ＩＤ情報読取部によって取引ＩＤ情報が読み取られた場合に、釣銭準備金を作成し、当該釣銭準備金を外部から取出し可能になるように出金する出金部と、を備え、
前記釣銭準備金保管装置は、
前記収容体を保管する釣銭準備金保管部と、
前記収容体に付された釣銭準備金ＩＤ情報を読み取る第２ＩＤ情報読取部と、を備え、
前記制御部は、前記第１ＩＤ情報読取部によって読み取られた取引ＩＤ情報と前記第２ＩＤ情報読取部によって読み取られた釣銭準備金ＩＤ情報とが対応する場合に、取引を終了することを特徴とする釣銭準備金管理システム。
【請求項２】
警告を報知する報知部を更に備え、
前記制御部は、前記出金部によって前記釣銭準備金が出金されてから所定時間以内に前記第１ＩＤ情報読取部によって読み取られた取引ＩＤ情報と前記第２ＩＤ情報読取部によって読み取られた釣銭準備金ＩＤ情報とが対応しない場合に、警告を報知するように前記報知部を制御する請求項１に記載の釣銭準備金管理システム。
【請求項３】
前記釣銭準備金保管部は、個別情報を有する複数の釣銭準備金保管部として構成され、
前記釣銭準備金保管装置は、各釣銭準備金保管部に対応して複数の第２ＩＤ情報読取部を更に備え、
前記制御部は、前記釣銭準備金保管部の個別情報と前記第２ＩＤ情報読取部によって読み取られた釣銭準備金ＩＤ情報とが対応する場合に、取引を終了する請求項１又は２に記載の釣銭準備金管理システム。
【請求項４】
前記第１ＩＤ情報読取部は、レジスタ毎のレジＩＤ情報を読み取る請求項１乃至３の何れか１項に記載の釣銭準備金管理システム。
【請求項５】
前記第１ＩＤ情報読取部は、ＩＤカードを受け付け、当該ＩＤカードのＩＤ情報を読み取り、
前記釣銭準備金保管部は、前記ＩＤカードが付された収容体を保管し、
前記第２ＩＤ情報読取部は、前記収容体に付されたＩＤカードのＩＤ情報を読み取る請求項１乃至４の何れか１項に記載の釣銭準備金管理システム。
【請求項６】
前記釣銭準備金の金種毎の数を示す釣銭情報を記憶する記憶部を更に備え、
前記貨幣処理装置は、更に、
前記貨幣を受け入れる受入部と、
前記貨幣の金種を識別し、金種毎の数を計数する識別部と、
前記貨幣の収納及び繰り出しを行う収納繰出部と、
前記貨幣を前記収納繰出部又は前記出金部に搬送する搬送部と、を備え、
前記制御部は、前記第１ＩＤ情報読取部によって取引ＩＤ情報が読み取られた場合に、前記記憶部に記憶された釣銭情報及び前記識別部の識別結果に基づいて、前記受入部によって受け入れられた貨幣のうち、釣銭準備金として使用される貨幣を前記出金部に搬送し、釣銭準備金として使用されない貨幣を前記収納繰出部に搬送するように前記搬送部を制御する請求項１乃至５の何れか１項に記載の釣銭準備金管理システム。
【請求項７】
前記制御部は、前記第１ＩＤ情報読取部によって読み取られた取引ＩＤ情報と前記第２ＩＤ情報読取部によって読み取られた釣銭準備金ＩＤ情報が対応する場合に、前記収容体が保管された釣銭準備金保管部を施錠する請求項１乃至６の何れか１項に記載の釣銭準備金管理システム。
【請求項８】
前記釣銭準備金保管装置は、前記施錠された釣銭準備金保管部を開錠するための開錠ＩＤ情報を読み取る第３ＩＤ情報読取部を更に備え、
前記制御部は、前記第３ＩＤ情報読取部によって読み取られた開錠ＩＤ情報と前記第２ＩＤ情報読取部によって読み取られた釣銭準備金ＩＤ情報とが対応する場合に、前記釣銭準備金保管部を開錠する請求項７に記載の釣銭準備金管理システム。
【請求項９】
前記釣銭準備金保管装置は、前記釣銭準備金保管部に前記収容体が保管されているか否かを表示する保管表示部を更に備える請求項１乃至８の何れか１項に記載の釣銭準備金管理システム。
【請求項１０】
前記釣銭準備金保管装置は、前記制御部によって前記釣銭準備金保管部が開錠されたか否かを表示する保管表示部を更に備える請求項８に記載の釣銭準備金管理システム。
【発明の詳細な説明】
【技術分野】
【０００１】
本発明は、釣銭準備金管理システムに関し、特に、店舗のバックヤードに設置され、釣銭準備金の作成及び釣銭準備金の保管を行う釣銭準備金管理システムに関する。
【背景技術】
【０００２】
店舗のバックヤードには、当日営業の売上金を計数する入金処理を行う入金処理装置及び翌日営業の釣銭準備金を作成する出金処理を行う出金処理装置が設置されている。出金処理において作成された釣銭準備金は、釣銭準備金保管装置に保管される。
【０００３】
しかし、従来の出金処理装置及び釣銭準備金保管装置は互いに独立しているので、作成された釣銭準備金が正常に保管されているか否かを管理することはできない。その結果、作成された釣銭準備金が紛失するミスや、作成された釣銭準備金が所定の場所に保管されないミスが発生する場合がある。特に、出金処理装置と釣銭準備金保管装置とが離れた場所に設置されている場合には、これらのミスが発生する確率は大きくなる。
【特許文献１】特開２００５−２５０８４３号公報
【発明の開示】
【発明が解決しようとする課題】
【０００４】
本発明の目的は、作成された釣銭準備金が正常に保管されているか否かを管理することである。
【課題を解決するための手段】
【０００５】
本発明の第１態様によれば、釣銭準備金を作成する出金処理を行う貨幣処理装置と、
前記貨幣処理装置によって作成された釣銭準備金を収容する収容体であって、釣銭準備金ＩＤ情報が付された収容体を保管する釣銭準備金保管装置と、
前記貨幣処理装置及び前記釣銭準備金保管装置を制御する制御部と、を備え、
前記貨幣処理装置は、
オペレータによって入力された取引ＩＤ情報を読み取る第１ＩＤ情報読取部と、
前記第１ＩＤ情報読取部によって取引ＩＤ情報が読み取られた場合に、釣銭準備金を作成し、当該釣銭準備金を外部から取出し可能になるように出金する出金部と、を備え、
前記釣銭準備金保管装置は、
前記収容体を保管する釣銭準備金保管部と、
前記収容体に付された釣銭準備金ＩＤ情報を読み取る第２ＩＤ情報読取部と、を備え、
前記制御部は、前記第１ＩＤ情報読取部によって読み取られた取引ＩＤ情報と前記第２ＩＤ情報読取部によって読み取られた釣銭準備金ＩＤ情報とが対応する場合に、取引を終了することを特徴とする釣銭準備金管理システムが提供される。
【０００６】
本発明において、警告を報知する報知部を更に備え、
前記制御部は、前記出金部によって前記釣銭準備金が出金されてから所定時間以内に前記第１ＩＤ情報読取部によって読み取られた取引ＩＤ情報と前記第２ＩＤ情報読取部によって読み取られた釣銭準備金ＩＤ情報とが対応しない場合に、警告を報知するように前記報知部を制御することが好ましい。
【０００７】
本発明において、前記釣銭準備金保管部は、個別情報を有する複数の釣銭準備金保管部として構成され、
前記釣銭準備金保管装置は、各釣銭準備金保管部に対応して複数の第２ＩＤ情報読取部を更に備え、
前記制御部は、前記釣銭準備金保管部の個別情報と前記第２ＩＤ情報読取部によって読み取られた釣銭準備金ＩＤ情報とが対応する場合に、取引を終了することが好ましい。
【０００８】
本発明において、前記第１ＩＤ情報読取部は、レジスタ毎のレジＩＤ情報を読み取ることが好ましい。
【０００９】
本発明において、前記第１ＩＤ情報読取部は、ＩＤカードを受け付け、当該ＩＤカードのＩＤ情報を読み取り、
前記釣銭準備金保管部は、前記ＩＤカードが付された収容体を保管し、
前記第２ＩＤ情報読取部は、前記収容体に付されたＩＤカードのＩＤ情報を読み取ることが好ましい。
【００１０】
本発明において、前記釣銭準備金の金種毎の数を示す釣銭情報を記憶する記憶部を更に備え、
前記貨幣処理装置は、更に、
前記貨幣を受け入れる受入部と、
前記貨幣の金種を識別し、金種毎の数を計数する識別部と、
前記貨幣の収納及び繰り出しを行う収納繰出部と、
前記貨幣を前記収納繰出部又は前記出金部に搬送する搬送部と、を備え、
前記制御部は、前記第１ＩＤ情報読取部によって取引ＩＤ情報が読み取られた場合に、前記記憶部に記憶された釣銭情報及び前記識別部の識別結果に基づいて、前記受入部によって受け入れられた貨幣のうち、釣銭準備金として使用される貨幣を前記出金部に搬送し、釣銭準備金として使用されない貨幣を前記収納繰出部に搬送するように前記搬送部を制御することが好ましい。
【００１１】
本発明において、前記制御部は、前記第１ＩＤ情報読取部によって読み取られた取引ＩＤ情報と前記第２ＩＤ情報読取部によって読み取られた釣銭準備金ＩＤ情報が対応する場合に、前記収容体が保管された釣銭準備金保管部を施錠することが好ましい。
【００１２】
本発明において、前記釣銭準備金保管装置は、前記施錠された釣銭準備金保管部を開錠するための開錠ＩＤ情報を読み取る第３ＩＤ情報読取部を更に備え、
前記制御部は、前記第３ＩＤ情報読取部によって読み取られた開錠ＩＤ情報と前記第２ＩＤ情報読取部によって読み取られた釣銭準備金ＩＤ情報とが対応する場合に、前記釣銭準備金保管部を開錠することが好ましい。
【００１３】
本発明において、前記釣銭準備金保管装置は、前記釣銭準備金保管部に前記収容体が保管されているか否かを表示する保管表示部を更に備えることが好ましい。
【００１４】
本発明において、前記釣銭準備金保管装置は、前記制御部によって前記釣銭準備金保管部が開錠されたか否かを表示する保管表示部を更に備えることが好ましい。
【発明の効果】
【００１５】
本発明によれば、作成された釣銭準備金が正常に保管されているか否かを管理することができ、ひいては、釣銭準備金が紛失するミスや、作成された釣銭準備金が所定の場所に保管されないミスを防ぐことができる。
【発明を実施するための最良の形態】
【００１６】
以下、本発明の実施例について図面を参照して説明する。なお、以下の実施例は、本発明の実施の一形態であって、本発明の範囲を限定するものではない。
【実施例１】
【００１７】
はじめに、本発明の実施例１について説明する。本発明の実施例１は、作成された釣銭準備金を保管する例である。
【００１８】
図１は、本発明の実施例１に係る釣銭準備金管理システムの構成を示すブロック図である。
【００１９】
本発明の実施例１に係る釣銭準備金管理システムは、制御部１００、記憶部１１０、貨幣処理装置としての紙幣処理装置１２０、硬貨処理装置１３０及び棒金処理装置１５０、操作ターミナル１４０及び釣銭準備金保管装置１６０を備えている。
【００２０】
制御部１００は、記憶部１１０、紙幣処理装置１２０、硬貨処理装置１３０、操作ターミナル１４０、棒金処理装置１５０及び釣銭準備金保管装置１６０に接続されている。制御部１００は、記憶部１１０に記憶された制御プログラム１１１に従って紙幣処理装置１２０、硬貨処理装置１３０、操作ターミナル１４０、棒金処理装置１５０及び釣銭準備金保管装置１６０を制御する。
【００２１】
記憶部１１０は、制御プログラム１１１、釣銭情報１１２及び管理情報１１３を記憶する。記憶部１１０は、制御部１００のワーキングメモリとしても動作する。制御プログラム１１１は釣銭準備金管理システムを制御するためのプログラムであり、釣銭情報１１２は釣銭準備金の金種毎の数を示す情報であり、管理情報１１３は、釣銭準備金が保管されたこと及び保管された釣銭準備金が取り出されたことを管理するための情報である。釣銭準備金の金種及び数は、例えば店舗のレジ毎に異なっていても良いし、全てのレジに共通していても良い。
【００２２】
紙幣処理装置１２０は、紙幣を計数し、紙幣入金処理及び釣銭準備金を作成する紙幣出金処理を行う。硬貨処理装置１３０は、バラ状態の硬貨を計数し、硬貨入金処理を行う。棒金処理装置１５０は、棒金を収納し、当該収納された棒金を用いて釣銭準備金を作成する硬貨出金処理を行う。
【００２３】
図２は、図１の紙幣処理装置１２０の構成を示すブロック図である。
【００２４】
紙幣処理装置１２０は、紙幣受入部１２１、紙幣識別部１２２、紙幣リジェクト部１２３、紙幣出金部１２４、紙幣収納繰出部１２５Ａ〜Ｃ、紙幣一時保留部１２６Ａ〜Ｃ及び紙幣搬送部１２７を有している。
【００２５】
紙幣受入部１２１は、投入された紙幣を１枚ずつ取り込んで紙幣処理装置１２０の中に受け入れる。
【００２６】
紙幣識別部１２２は、紙幣受入部１２１によって受け入れられた紙幣の金種を識別し、金種毎の数を計数する。
【００２７】
紙幣リジェクト部１２３は、紙幣識別部１２２によって金種が識別されなかった紙幣（以下、「リジェクト紙幣」という）を集積する。
【００２８】
紙幣出金部１２４は、釣銭用の紙幣（以下、「釣銭準備紙幣」という）を紙幣処理装置１２０の外部から取出し可能になるように出金する。紙幣出金部１２４は、図示されないシャッタを有する。紙幣出金部１２４は、取引が確定されたときにロックを解除し、シャッタを開き、外部から紙幣の取出しが可能になる。
【００２９】
紙幣収納繰出部１２５Ａ〜Ｃは、紙幣を収納する収納機構及び収納された紙幣を繰り出す繰出機構を有する。
【００３０】
紙幣一時保留部１２６Ａ〜Ｃは、紙幣収納繰出部１２５Ａ〜Ｃの一部として構成される。紙幣一時保留部１２６Ａ〜Ｃは、紙幣搬送部１２７によって搬送された紙幣を収納済みの紙幣と区分けして一時保留し、操作ターミナル１４０によって入金金額が承認され、入金確定の指示が受け付けられたときに一時保留を解除する。一時保留が解除されたときには、一時保留されていた紙幣は、紙幣収納繰出部１２５Ａ〜Ｃに収納される。一方、操作ターミナル１４０によって入金金額が承認されず、入金取消の指示が受け付けられた場合には、一時保留されていた紙幣は繰出機構によって繰り出される。
【００３１】
紙幣搬送部１２７は、紙幣受入部１２１によって受け入れられた紙幣を紙幣識別部１２２に搬送し、紙幣識別部１２２の識別結果に基づいて紙幣リジェクト部１２３、紙幣出金部１２４、紙幣収納繰出部１２５Ａ〜Ｃ又は紙幣一時保留部１２６Ａ〜Ｃに当該紙幣を搬送する。紙幣搬送部１２７は、紙幣収納繰出部１２５Ａ〜Ｃによって繰り出された紙幣を紙幣出金部１２４に搬送する。
【００３２】
なお、本発明の実施例１では、紙幣収納繰出部１２５Ａ〜Ｃ及び紙幣一時保留部１２６Ａ〜Ｃの数は３つに限られるものではない。
【００３３】
図３は、図１の硬貨処理装置１３０の構成を示すブロック図である。
【００３４】
硬貨処理装置１３０は、硬貨受入部１３１、硬貨識別部１３２、硬貨返却部１３３、硬貨収納部１３４、硬貨一時保留部１３５及び硬貨搬送部１３６を備えている。
【００３５】
硬貨受入部１３１は、投入された硬貨を１枚ずつ取り込んで硬貨処理装置１３０の中に受け入れ、当該硬貨を硬貨識別部１３２に繰り出す。
【００３６】
硬貨識別部１３２は、硬貨受入部１３１によって繰り出された硬貨の金種を識別し、金種毎の数を計数する。
【００３７】
硬貨一時保留部１３５は、硬貨搬送部１３６によって搬送された硬貨を一括して一時保留し、操作ターミナル１４０によって入金金額が承認され、入金確定の指示が受け付けられたときには、図３のＡ方向へ移動して一時保留されていた硬貨を硬貨収納部１３４に一括して収納する。一方、操作ターミナル１４０によって入金取消の指示が受け付けられたときには、硬貨一時保留部１３５は、図３のＢ方向へ移動して一時保留されていた硬貨を硬貨返却部１３３に一括して返却する。
【００３８】
硬貨返却部１３３は、返却用の硬貨（以下、「返却硬貨」という）を硬貨処理装置１３０の外部から取出し可能になるように一括して返却する。硬貨返却部１３３は、図示されないシャッタを有する。硬貨返却部１３３は、操作ターミナル１４０によって入金金額が承認されず、入金取消の指示が受け付けられたときに硬貨一時保留部１３５から硬貨を受け取り、ロックを解除し、シャッタを開き、外部から硬貨の取出しが可能になる。
【００３９】
硬貨収納部１３４は、操作ターミナル１４０によって入金金額が承認され、入金確定の指示が受け付けられたときに硬貨一時保留部１３５に一時保留された硬貨を一括して収納する。
【００４０】
硬貨搬送部１３６は、硬貨受入部１３１によって繰り出された硬貨を硬貨識別部１３２に搬送し、硬貨識別部１３２の識別結果に基づいて硬貨一時保留部１３５に当該硬貨を搬送する。
【００４１】
図４は、図１の操作ターミナル１４０の外観を示す平面図である。
【００４２】
操作ターミナル１４０は、指示受付部１４１、表示部１４２、第１ＩＤ情報読取部１４３、印字部１４４及び報知部１４５を有している。
【００４３】
例えば、指示受付部１４１はオペレータの指示を受け付ける複数のキーであり、表示部１４２は所定の情報を表示する液晶ディスプレイであり、第１ＩＤ情報読取部１４３はカードリーダであり、印字部１４４はプリンタであり、報知部１４５は音又は光を出力するスピーカ又はランプである。
【００４４】
なお、本発明の実施例１では、指示受付部１４１がオペレータのＩＤ情報の入力を受け付けることによって取引ＩＤ情報を読み取っても良い。その場合には、指示受付部１４１と第１ＩＤ情報読取部１４３は同一である。
【００４５】
図５は、図１の棒金処理装置１５０の構成を示す概略図である。
【００４６】
棒金処理装置１５０は、棒金収納繰出部１５１Ａ〜Ｋ、棒金計数部１５２Ａ〜Ｋ及び棒金出金部１５３を備えている。
【００４７】
棒金収納繰出部１５１Ａ〜Ｋは、金種毎に棒金を整列状態で収納するトレー形状であって、トレーの引き出し量によって必要な数の棒金を出金することができる収納機構を有する。
【００４８】
棒金計数部１５２Ａ〜Ｋは、棒金収納繰出部１５１Ａ〜Ｋに対応して設けられている。棒金計数部１５２Ａ〜Ｋは、棒金収納繰出部１５１Ａ〜Ｋに収納された棒金のうち出金される棒金の数を計数する。
【００４９】
棒金出金部１５３は、釣銭用の棒金（以下、「釣銭準備棒金」という）を棒金処理装置１５０の外に出金する。棒金出金部１５３は、シャッタ構造を有する。棒金出金部１５３は、操作ターミナル１４０によって入金確定の指示が受け付けられ、必要な棒金が計数された後にロックを解除し、シャッタを開く。
【００５０】
なお、本発明の実施例１では、棒金収納繰出部１５１Ａ〜Ｋ及び棒金計数部１５２Ａ〜Ｋの数は１１個にし、釣銭準備硬貨として需要が高い金種を複数個にするようにしているが、これに限られるものではない。
【００５１】
図６は、本発明の実施例１に係る釣銭準備金保管装置１６０の構成を示すブロック図である。
【００５２】
釣銭準備金保管装置１６０は、釣銭準備金保管部１６１Ａ〜Ｅ、第２ＩＤ情報読取部１６２Ａ〜Ｅ、第３ＩＤ情報読取部１６３及び保管表示部１６４を備えている。
【００５３】
釣銭準備金保管部１６１Ａ〜Ｅは、釣銭準備金ＩＤ情報が付された収容体に収容された釣銭準備金を保管する鍵付きの引き出しである。
【００５４】
第２ＩＤ情報読取部１６２Ａ〜Ｅは、各釣銭準備金保管部１６１Ａ〜Ｅに対応して設けられている。第２ＩＤ情報読取部１６２Ａ〜Ｅは、釣銭準備金保管部１６１Ａ〜Ｅ内に収容体が保管されている場合に、当該収容体に付された釣銭準備金ＩＤ情報を読み取り、読み取られた釣銭準備金ＩＤ情報を制御部１００に送信する。
【００５５】
第３ＩＤ情報読取部１６３は、釣銭準備金保管部１６１Ａ〜Ｅが施錠されているときに、当該釣銭準備金保管部１６１Ａ〜Ｅを開錠するための開錠ＩＤ情報を読み取る。例えば、第３ＩＤ情報読取部１６３は、開錠ＩＤ情報の入力を受け付けるキーボードであっても良いし、ＩＤカードに記憶された開錠ＩＤ情報を読み取るカードリーダであっても良い。
【００５６】
保管表示部１６４は、釣銭準備金保管部１６１Ａ〜Ｅに収容体が保管されているか否かを表示する。例えば、保管表示部１６４は、第２ＩＤ情報読取部１６２Ａによって釣銭準備金ＩＤ情報が読み取られているときは釣銭準備金保管部１６１Ａに収容体が保管されていることを表示する。また、保管表示部１６４は、釣銭準備金保管部１６１Ａ〜Ｅが開錠されたか否かを表示する。
【００５７】
なお、本発明の実施例１では、釣銭準備金保管部１６１Ａ〜Ｅ及び第２ＩＤ情報読取部１６２Ａ〜Ｅは５つに限られるものではない。
【００５８】
図７は、本発明の実施例１に係る釣銭情報１１２のデータ構造を示す概略図である。
【００５９】
釣銭情報１１２は、釣銭準備紙幣の金種毎の金額及び数を示す釣銭準備紙幣情報１１２Ａ並びに釣銭準備棒金の金種毎の金額及び数を示す釣銭準備棒金情報１１２Ｂを含む。釣銭情報１１２は、指示受付部１４１によって受け付けられたオペレータの指示又は予め登録されている情報に基づいて設定され、記憶部１１０に記憶される。
【００６０】
図８は、本発明の実施例１に係る取引の処理手順を示すフローチャートである。なお、本発明の実施例１に係る取引は、記憶部１１０に釣銭情報１１２が記憶されていることを前提とする。
【００６１】
はじめに、指示受付部１４１によってオペレータの取引情報の指示が受け付けられる（Ｓ８０１）。このとき、図９に示されるようなメッセージ１４２Ａを含む取引情報入力画面が表示部１４２に表示される。メッセージ１４２Ａは、文字であっても良いし、画像であっても良い。取引情報は、取引ＩＤ情報（オペレータＩＤ又はレジＩＤ）、売上金額並びに残置された紙幣及び硬貨の金種毎の数を含む。
【００６２】
次に、記憶部１１０に記憶された釣銭情報１１２が読み出される（Ｓ８０２）。
【００６３】
次に、後述の第１釣銭準備金作成処理が行われる（Ｓ８０３）。第１釣銭準備金作成処理では、売上金を計数するための入金処理及び釣銭準備金を作成するための出金処理が同時に行われる。
【００６４】
次に、図１０に示されるような確認メッセージ画面が表示部１４２に表示される（Ｓ８０４）。確認メッセージ画面は、メッセージ１４２Ｂ、ＹＥＳボタン１４２Ｃ及びＮＯボタン１４２Ｄを含む。メッセージ１４２Ｂは、文字であっても良いし、画像であっても良い。操作ターミナル１４０は、ＹＥＳボタン１４２Ｃが選択された場合には入金確定の指示を受け付け、ＮＯボタン１４２Ｄが選択された場合には入金取消の指示を受け付ける。
【００６５】
Ｓ８０４において表示されたＹＥＳボタン１４２Ｃが選択された場合には（Ｓ８０５−ＹＥＳ）、取引が確定される（Ｓ８０６）。このとき、Ｓ８０１において受け付けられた取引情報及びＳ８０３において行われた第１釣銭準備金作成処理の処理結果が記憶部１１０に書き込まれる。
【００６６】
次に、紙幣一時保留部１２６Ａ〜Ｃに一時保留された全ての紙幣が紙幣収納繰出部１２５Ａ〜Ｃに収納され、硬貨一時保留部１３５に一時保留された全ての硬貨が硬貨収納部１３４に収納される（Ｓ８０７）。
【００６７】
次に、後述の第２釣銭準備金作成処理が行われる（Ｓ８０８）。第２釣銭準備金作成処理は、Ｓ８０３において行われた第１釣銭準備金作成処理の後に不足している釣銭準備金を作成するための出金処理を行うための処理である。
【００６８】
次に、印字部１４４によって、Ｓ８０６において確定された取引情報、Ｓ８０３において行われた第１釣銭準備金作成処理の処理結果及びＳ８０８において行われた第２釣銭準備金作成処理の処理結果を含むジャーナルが印字される（Ｓ８０９）。このとき、紙幣出金部１２４及び棒金出金部１５３のシャッタが開かれる。オペレータは、紙幣出金部１２４及び棒金出金部１５３から釣銭準備金を取り出し、釣銭準備金ＩＤ情報が付された収容体に収容する。
【００６９】
次に、後述の釣銭準備金保管処理が行われる（Ｓ８１０）。釣銭準備金保管処理は、Ｓ８０３，Ｓ８０８において作成された釣銭準備金が収容された収容体を釣銭準備金保管装置１６０に保管するための処理である。
【００７０】
一方、Ｓ８０４において表示されたＮＯボタン１４２Ｄが選択された場合には（Ｓ８０５−ＮＯ）、紙幣一時保留部１２６Ａ〜Ｃに一時保留された全ての紙幣が、紙幣収納繰出部１２５Ａ〜Ｃによって紙幣搬送部１２７に繰り出され、紙幣搬送部１２７によって紙幣出金部１２４に搬送され、紙幣出金部１２４から紙幣処理装置１２０の外に出金され、硬貨一時保留部１３５に一時保留された全ての硬貨が、硬貨返却部１３３から硬貨処理装置１３０の外に出金される（Ｓ８１１）。
【００７１】
本発明の実施例１に係る取引は、Ｓ８１０，Ｓ８１１の後に終了する。
【００７２】
図１１は、本発明の実施例１に係る紙幣の第１釣銭準備金作成処理（図８のＳ８０３）の処理手順を示すフローチャートである。
【００７３】
はじめに、紙幣受入部１２１によって投入された紙幣が紙幣処理装置１２０の中に受け入れられる（Ｓ１１０１）。
【００７４】
次に、紙幣識別部１２２によってＳ１１０１において受け入れられた紙幣の金種が識別され、金種毎の数が計数される（Ｓ１１０２）。
【００７５】
次に、Ｓ１１０２における紙幣識別部１２２の計数結果を示す紙幣計数データが記憶部１１０に書き込まれる（Ｓ１１０３）。このとき、既に紙幣計数データが記憶部１１０に記憶されている場合には、当該紙幣計数データが更新される。
【００７６】
次に、図８のＳ８０１において受け付けられた取引情報及び図８のＳ８０２において読み出された釣銭情報１１２に基づいて紙幣釣銭データが算出される（Ｓ１１０４）。紙幣釣銭データは、釣銭準備紙幣の不足数を示すデータであり、釣銭情報１１２に示される釣銭準備紙幣の金種毎の数と取引情報に示される残置紙幣の金種毎の数との差である。
【００７７】
次に、Ｓ１１０４において算出された紙幣釣銭データが正の値を示す場合（すなわち、釣銭準備紙幣が不足している場合）には（Ｓ１１０５−ＹＥＳ）、Ｓ１１０２において識別された紙幣は、紙幣搬送部１２７によって紙幣出金部１２４に搬送される（Ｓ１１０６）。
【００７８】
次に、紙幣釣銭データの値が−１（減算）される（Ｓ１１０７）。
【００７９】
一方、Ｓ１１０４において算出された紙幣釣銭データが０以下である場合（すなわち、釣銭準備紙幣が充足している場合）には（Ｓ１１０５−ＮＯ）、Ｓ１１０２において識別された紙幣は、紙幣搬送部１２７によって紙幣一時保留部１２６Ａ〜Ｃに搬送される（Ｓ１１０８）。
【００８０】
Ｓ１１０１〜Ｓ１１０８は、紙幣受入部１２１に紙幣が残っている間繰り返され（Ｓ１１０９−ＹＥＳ）、紙幣受入部１２１に紙幣がなくなった場合に紙幣処理装置１２０の第１釣銭準備金作成処理が終了する（Ｓ１１０９−ＮＯ）。
【００８１】
図１２は、本発明の実施例１に係る硬貨の第１釣銭準備金作成処理（図８のＳ８０３）の処理手順を示すフローチャートである。
【００８２】
はじめに、硬貨受入部１３１によって投入された硬貨が硬貨処理装置１３０の中に受け入れられ、硬貨識別部１３２に繰り出される（Ｓ１２０１）。
【００８３】
次に、硬貨識別部１３２によってＳ１２０１において繰り出された硬貨の金種が識別され、金種毎の数が計数される（Ｓ１２０２）。
【００８４】
次に、Ｓ１２０２における硬貨識別部１３２の計数結果を示す硬貨計数データが記憶部１１０に書き込まれる（Ｓ１２０３）。このとき、既に硬貨計数データが記憶部１１０に記憶されている場合には、当該硬貨計数データが更新される。
【００８５】
次に、図８のＳ８０１において受け付けられた取引情報及び図８のＳ８０２において読み出された釣銭情報１１２に基づいて硬貨釣銭データが算出される（Ｓ１２０４）。硬貨釣銭データは、釣銭準備硬貨の不足数を示すデータであり、釣銭情報１１２に示される釣銭準備硬貨の金種毎の数と取引情報に示される残置硬貨の金種毎の数との差である。本発明の実施例１では、硬貨の入金はバラ硬貨で行われ、釣銭準備金の出金は棒金で行われる。従って、釣銭情報１１２に示された釣銭準備硬貨の数に相当する棒金の本数が硬貨釣銭データとして算出される。
【００８６】
Ｓ１２０１〜Ｓ１２０４は、硬貨受入部１３１に硬貨が残っている間繰り返され（Ｓ１２０５−ＹＥＳ）、硬貨受入部１３１に硬貨がなくなった場合に硬貨処理装置１３０及び棒金処理装置１５０の第１釣銭準備金作成処理が終了する（Ｓ１２０５−ＮＯ）。
【００８７】
図１３は、本発明の実施例１に係る紙幣の第２釣銭準備金作成処理（図８のＳ８０８）の処理手順を示すフローチャートである。
【００８８】
はじめに、紙幣釣銭データが正の値を示す場合（すなわち、釣銭準備紙幣が不足している場合）には（Ｓ１３０１−ＹＥＳ）、不足している金種について紙幣収納繰出部１２５Ａ〜Ｃから必要枚数の紙幣が紙幣搬送部１２７に繰り出され、紙幣搬送部１２７によって紙幣出金部１２４に搬送される（Ｓ１３０２）。
【００８９】
次に、紙幣釣銭データの値が−１（減算）される（Ｓ１３０３）。
【００９０】
一方、紙幣釣銭データが０以下である場合（すなわち、釣銭準備紙幣が充足している場合）には（Ｓ１３０１−ＮＯ）、紙幣処理装置１２０の第２釣銭準備金作成処理が終了する。
【００９１】
図１４は、本発明の実施例１に係る釣銭準備金保管処理（図８のＳ８１０）の処理手順を示すフローチャートである。
【００９２】
はじめに、任意の釣銭準備金保管部１６１Ａ〜Ｅに釣銭準備金ＩＤ情報が付された収容体が保管される（Ｓ１４０１）。
【００９３】
次に、第２ＩＤ情報読取部１６２Ａ〜Ｅによって、Ｓ１４０１において保管された収容体に付された釣銭準備金ＩＤ情報が読み取られる（Ｓ１４０２）。
【００９４】
次に、Ｓ１４０２において読み取られた釣銭準備金ＩＤ情報と図８のＳ８０１において受け付けられた取引情報に含まれる取引ＩＤ情報とが照合される（Ｓ１４０３）。
【００９５】
Ｓ１４０３の照合結果が対応しない場合には（Ｓ１４０４−ＮＯ）、報知部１５５によって音又は光による警告が報知され（Ｓ１４０５）、Ｓ１４０１に戻る。
【００９６】
一方、Ｓ１４０３の照合結果が対応する場合には（Ｓ１４０４−ＹＥＳ）、釣銭準備金保管部１６１Ａ〜Ｅが施錠される（Ｓ１４０６）。
【００９７】
次に、図８のＳ８０１において受け付けられた取引情報に含まれる取引ＩＤ情報に対応する釣銭準備金ＩＤ情報が付された収容体が釣銭準備金保管部１６１Ａ〜Ｅに保管されたことを示す管理情報１１３が制御部１００に送信され、制御部１００によって記憶部１１０に書き込まれる（Ｓ１４０７）、本発明の実施例１に係る釣銭準備金保管処理が終了する。このとき、保管表示部１６４には、釣銭準備金保管部１６１Ａ〜Ｅの何れに収容体が保管されたかを示す情報が表示される。
【００９８】
図１５は、本発明の実施例１に係る管理情報の一例を示す概略図である。
【００９９】
管理情報は、取引ＩＤ情報、取引ＩＤ情報に対応するレジスタの売上金の金額、当該レジスタの釣銭準備金の金額、釣銭準備金ＩＤ情報、保管された日時及び取り出された日時を含む。
【０１００】
なお、本発明の実施例１では、図８のＳ８０１において第１ＩＤ情報読取部１４３によってＩＤカードの取引ＩＤ情報が読み取られても良い。その場合には、当該ＩＤカードはオペレータによって釣銭準備金とともに収容体に収容され、収容体に収容されたＩＤカードの情報は第２ＩＤ情報読取部１６２Ａ〜Ｅによって読み取られる。
【０１０１】
また、本発明の実施例１では、釣銭準備金保管部１６１Ａ〜Ｅ毎に個別情報を有し、当該個別情報と第２ＩＤ情報読取部１６２Ａ〜Ｅによって読み取られた釣銭準備金ＩＤ情報が対応する場合に取引が終了しても良い。
【０１０２】
本発明の実施例１によれば、釣銭準備金が作成される前に読み取られた取引ＩＤ情報と釣銭準備金が作成された後に読み取られた釣銭準備金ＩＤ情報とが対応する場合に取引を終了するので、作成された釣銭準備金が釣銭準備金保管部１６１Ａ〜Ｅに正常に保管されたか否かを管理することができ、ひいては、釣銭準備金が紛失するミスや、作成された釣銭準備金が釣銭準備金保管部１６１Ａ〜Ｅにされないミスを防ぐことができる。
【０１０３】
また、本発明の実施例１によれば、釣銭準備金ＩＤ情報と釣銭準備金保管部１６１Ａ〜Ｅの個別情報が対応した場合に取引を終了する場合には、釣銭準備金が所定の釣銭準備金保管部１６１Ａ〜Ｅに正常に保管されたことを管理することができる。
【実施例２】
【０１０４】
次に、本発明の実施例２について説明する。本発明の実施例２は、保管された釣銭準備金を取り出す例である。なお、本発明の実施例１と同様の内容についての説明は省略される。
【０１０５】
図１６は、本発明の実施例２に係る釣銭準備金取出処理の処理手順を示すフローチャートである。なお、釣銭準備金取出処理は、釣銭準備金保管部１６１Ａ〜Ｅの少なくとも１つに釣銭準備金が収容された収容体が保管され、第２ＩＤ情報読取部１６２Ａ〜Ｅによって当該収容体の釣銭準備金ＩＤ情報が読み取られる状態において行われる処理である。
【０１０６】
はじめに、第３ＩＤ情報読取部１６３によって開錠ＩＤ情報が読み取られる（Ｓ１６０１）。
【０１０７】
次に、Ｓ１６０１において読み取られた開錠ＩＤ情報と収容体が保管された釣銭準備金保管部１６１Ａ〜Ｅに対応する第２ＩＤ情報読取部１６２Ａ〜Ｅによって読み取られた釣銭準備金ＩＤ情報とが照合される（１６０２）。
【０１０８】
Ｓ１６０２の照合結果が対応しない場合には（１６０３−ＮＯ）、Ｓ１６０１に戻る。
【０１０９】
一方、Ｓ１６０２の照合結果が対応する場合には（Ｓ１６０３−ＹＥＳ）、釣銭準備金保管部１６１Ａ〜Ｅが開錠される（Ｓ１６０４）。
【０１１０】
Ｓ１６０４において開錠された釣銭準備金保管部１６１Ａ〜Ｅから収容体が取り出された後（Ｓ１６０５−ＹＥＳ）、釣銭準備金が取り出されたことを示す管理情報１１３が制御部１００に送信され、制御部１００によって記憶部１１０に書き込まれる（Ｓ１６０６）、釣銭準備金取出処理が終了する。このとき、保管表示部１６４には、釣銭準備金保管部１６１Ａ〜Ｅの何れから収容体が取り出されたかを示す情報が表示される。なお、Ｓ１６０５において、第２ＩＤ情報読取部１６２Ａ〜Ｅによって収容体に付された釣銭準備金ＩＤ情報が読み取られなくなったときに収容体が取り出されたと判断される。
【０１１１】
本発明の実施例２によれば、開錠ＩＤ情報と釣銭準備金ＩＤ情報とが対応する場合に釣銭準備金保管部１６１Ａ〜Ｅが開錠されるので、釣銭準備金が釣銭準備金保管部１６１Ａ〜Ｅから取り出されたことを管理することができる。
【図面の簡単な説明】
【０１１２】
【図１】本発明の実施例１に係る釣銭準備金管理システムの構成を示すブロック図である。
【図２】図１の紙幣処理装置１２０の構成を示すブロック図である。
【図３】図１の硬貨処理装置１３０の構成を示すブロック図である。
【図４】図１の操作ターミナル１４０の外観を示す平面図である。
【図５】図１の棒金処理装置１５０の構成を示す概略図である。
【図６】本発明の実施例１に係る釣銭準備金保管装置１６０の構成を示すブロック図である。
【図７】本発明の実施例１に係る釣銭情報１１２のデータ構造を示す概略図である。
【図８】本発明の実施例１に係る取引の処理手順を示すフローチャートである。
【図９】本発明の実施例１に係る取引情報入力画面の概略を示す概略図である。
【図１０】本発明の実施例１に係る確認メッセージ画面の概略を示す概略図である。
【図１１】本発明の実施例１に係る紙幣の第１釣銭準備金作成処理（図８のＳ８０３）の処理手順を示すフローチャートである。
【図１２】本発明の実施例１に係る硬貨の第１釣銭準備金作成処理（図８のＳ８０３）の処理手順を示すフローチャートである。
【図１３】本発明の実施例１に係る紙幣の第２釣銭準備金作成処理（図８のＳ８０８）の処理手順を示すフローチャートである。
【図１４】本発明の実施例１に係る釣銭準備金保管処理（図８のＳ８１０）の処理手順を示すフローチャートである。
【図１５】本発明の実施例１に係る管理情報の一例を示す概略図である。
【図１６】本発明の実施例２に係る釣銭準備金取出処理の処理手順を示すフローチャートである。
【符号の説明】
【０１１３】
１００  制御部
１１０  記憶部
１２０  紙幣処理装置
１３０  硬貨処理装置
１４０  操作ターミナル
１５０  棒金処理装置
１６０  釣銭準備金保管装置
１６１Ａ〜Ｅ  釣銭準備金保管部
１６２Ａ〜Ｅ  第２ＩＤ情報読取部
１６３  第３ＩＤ情報読取部
１６４  保管表示部
【図１】
2009217476.tif 000003
【図２】
2009217476.tif 000004
【図３】
2009217476.tif 000005
【図４】
2009217476.tif 000006
【図５】
2009217476.tif 000007
【図６】
2009217476.tif 000008
【図７】
2009217476.tif 000009
【図８】
2009217476.tif 000010
【図９】
2009217476.tif 000011
【図１０】
2009217476.tif 000012
【図１１】
2009217476.tif 000013
【図１２】
2009217476.tif 000014
【図１３】
2009217476.tif 000015
【図１４】
2009217476.tif 000016
【図１５】
2009217476.tif 000017
【図１６】
2009217476.tif 000018